(57)【要約】  例えば、底板１及び底板１に対して可動である座部２を用いて、人体を浴槽８から持ち上げ且つ取り出し可能とし、座部又はその背もたれ４が少なくとも１つの駆動装置６により揺動可能であり、浴槽８の側壁３と背もたれ４及び／又は骨格部５との間の距離を認識するための少なくとも１つの装置１０により、背もたれ４及び／又は骨格部５の傾斜を停止可能としたことを特徴としている。
2008521528.tif 000002
【特許請求の範囲】
【請求項１】
底板（１）及び底板（１）に対して可動である座部（２）を用いて、人体を浴槽（８）から持ち上げ且つ取り出し可能とし、座部又はその背もたれ（４）が少なくとも１つの駆動装置（６）により揺動可能である浴槽用リフトであって、
浴槽（８）の側壁（９）と背もたれ（４）及び／又は骨格部（５）との間の距離を認識する少なくとも１つの装置（１０）により、背もたれ（４）及び／又は骨格部（５）の傾斜を停止可能としたことを特徴とする浴槽用リフト。
【請求項２】
少なくとも１つの装置（１０）が、背もたれ（４）の後部及び／又は骨格部（５）の後壁（１１）に配置されていることを特徴とする請求項１に記載の浴槽用リフト。
【請求項３】
座部（２）は駆動装置（６）により骨格部（５）に沿って直線状に上下に可動であることを特徴とする請求項１又は請求項２に記載の浴槽用リフト。
【請求項４】
座部（２）の骨格部（５）及び／又は背もたれ（４）は駆動装置（６）により揺動可能、特に傾斜可能であることを特徴とする請求項１ないし請求項３のいずれか１項に記載の浴槽用リフト。
【請求項５】
座部（２）の骨格部（５）及び／又は背もたれ（４）は、垂直軸（Ａ）に対して０ないし４０度の角度（α）まで傾斜可能、特に揺動可能であることを特徴とする請求項１ないし請求項４のいずれか１項に記載の浴槽用リフト。
【請求項６】
少なくとも１つの装置（１０）がリミットスイッチとして形成され、座部（２）の背もたれ（４）又は骨格部（５）に配置されていることを特徴とする請求項１ないし請求項５のいずれか１項に記載の浴槽用リフト。
【請求項７】
ストッパー（１２）が、骨格部（５）の後壁（１１）の端部に配置されていることを特徴とする請求項１ないし請求項６のいずれか１項に記載の浴槽用リフト。
【請求項８】
ストッパー（１２）が、枠又は板状に形成され、スイッチとして形成された装置（１０）に対して可動であるか又は弾性変形可能であることを特徴とする請求項７に記載の浴槽用リフト。
【請求項９】
少なくとも１つの装置（１０）は、赤外線サンサ、超音波センサ又はレーダセンサなどの距離センサとして形成されていることを特徴とする請求項１ないし請求項８のいずれか１項に記載の浴槽用リフト。
【請求項１０】
センサ素子として形成された装置（１０）は、座部の背もたれ（４）及び／又は骨格部（５）が浴槽（８）の縁又は側壁（９）近傍へ傾斜すると、信号を生成し、座部の背もたれ（４）及び／又は骨格部（５）を傾斜させる駆動装置（６）を自動的に停止させることを特徴とする請求項８又は請求項９に記載の浴槽用リフト。
【請求項１１】
装置（１０）は、骨格部（５）及び／又は背もたれ（４）がある角度（α）傾斜して浴槽の縁の近傍又は縁に達すると骨格部（５）及び／又は背もたれ（４）の傾斜を停止し、場合によっては制御装置を介して停止信号が、直接又は間接に駆動装置（６）へ伝達可能であることを特徴とする請求項１ないし請求項１０のいずれか１項に記載の浴槽用リフト。
【請求項１２】
少なくとも１つの装置（１０）は、背もたれ（４）が浴槽（８）の側壁（９）に当った際に、押しつぶされて、骨格部（５）の傾斜を停止する信号を生成するスイッチング素子又は管として形成されていることを特徴とする請求項１ないし請求項１１のいずれか１項に記載の浴槽用リフト。
【発明の詳細な説明】
【技術分野】
【０００１】
本発明は、例えば、底板及び底板に対して可動である座部を用いて、人体を浴槽から持ち上げ且つ取り出し可能とし、座部又はその背もたれが少なくとも１つの駆動装置により揺動可能である浴槽用リフトに関する。
【背景技術】
【０００２】
そのような浴槽用リフトには種々の形式があり、上市され、用いられている。これらのリフトは主として老人又は障害者の入浴補助具として使用されている。従来の浴槽用リフトは浴槽内に位置決めされ、据え付けられていた。浴槽用リフトは様々に作動し、持上げ装置により骨格部から上方へ移動可能な少なくとも１つの座部を有しており、最近のリフトでは背もたれが個別に自立するか又は骨格部を用いて傾斜又は揺動可能となっている。
【０００３】
従来の浴槽用リフトでは、背もたれ及び／又は座部を受ける骨格部の傾斜が強制的に行われ、浴槽は時には傾斜の極めて急な側壁又は極めて高い縁を有し、背もたれ及び／又は骨格部の傾斜時に破損することが短所であった。
【０００４】
その上、上記の従来の浴槽用リフトを急な傾斜の側壁を有する浴槽に据付る際、座部を受けるように、特に背もたれ又はその骨格部を傾斜又は揺動させる必要がある場合には、リフトの位置決めが制限される。
【発明の開示】
【発明が解決しようとする課題】
【０００５】
本発明は、上記の浴槽用リフトに生ずる課題に基づき、その短所を除き、簡単で、安価な方法により、任意の浴槽に任意の浴槽用リフトを使用可能とし、更に、骨格部及び／又は背もたれの傾斜を確実に制御できるようにすることである。
【課題を解決するための手段】
【０００６】
浴槽と背もたれ及び／又は骨格部との間の距離を認識する少なくとも１つの装置により、背もたれ及び／又は骨格部の傾斜を停止可能に構成することにより課題が解決される。
【発明を実施するための最良の形態】
【０００７】
本発明では、座部の背もたれ又は座部を受ける骨格部の背もたれの傾斜又は揺動を制限する装置を備えた浴槽用リフトが特に有効であることが判明した。
【０００８】
更に、特に座部及び／又は骨格部の後壁の近傍に装置、特にスイッチを備え、傾斜及び揺動の際、該装置が側壁が当ると信号を生成し、場合によっては、組み込まれた制御装置により駆動装置へ転送し、後壁の傾斜及び揺動を即座に直接に停止させることが有効であることが判明した。
【０００９】
更に、装置を機械的に作動するスイッチとして形成してもよく、スイッチの前に骨格部のほぼ全長及び／又は背もたれのほぼ全長に渉ってストッパーを備えることにより、種々の高さ及び角度の側壁を有する浴槽に常に接触又は当ることが可能であるとの利点が明らかになった。装置を機械的に作動するスイッチとして形成すると、背もたれ又は骨格部が浴槽の縁に当るや否や、駆動装置は直ちに信号を受け、傾斜又は揺動が直ちに停止する。
【００１０】
浴槽までの間隔又は距離を認識及び検出し、それにより骨格部及び／又は背もたれを浴槽の縁に対して揺動を停止するために、装置をレーダセンサ、赤外線センサ、超音波センサなどのセンサ素子として形成しても、本発明の範囲内にあることは当然である。
【実施例】
【００１１】
以下、図面を用いて、本発明の長所、特徴及び詳細を説明する。
【００１２】
図１に示すように、本発明による浴槽用リフトＲ１は、図では折畳まれた状態の座部２を支えるように、板、台座、台状の脚部などとして形成された底板１を備えている。座部２は、基本的には座板３及び背もたれ４から構成され、好適な実施例では、この座部２は、駆動装置６により、骨格部５に対して図の双方向矢印Ｘで示すように上下に移動することが可能となる。
【００１３】
本発明の範囲において、図示していない駆動装置６、パンタグラフ状の装置などにより、骨格部よりも座部２を高く移動することも考えられ、同一か又は別の駆動装置により、例えば座部を完全に停止した後、背もたれを底板に対して、角度α回転可能にできる。
【００１４】
本実施例では、例えば座部２を完全に傾斜した後、骨格部５は、図２、３に示す回転軸７を通る垂直軸から、角度α回転できるように考慮されている。背もたれ４及び／又は骨格部５の回転又は傾斜は０から４０度の間の角度αを自動的に回転できるようになっており、座部を底板１へと降下させ後に駆動装置６は自動的に、背もたれ４又は骨格部５を角度α回転させる。
【００１５】
図１に示すように、浴槽用リフトＲ１は任意の浴槽８に据付できることが好ましい。
【００１６】
浴槽８は様々な形状を有し、特に様々に形成するか、傾斜した側壁９を有する。
【００１７】
特に、浴槽８の垂直に近い急な傾斜の側壁９では、背もたれ４及び／又は骨格部５が浴槽８の側壁９の近辺に在るか又は該側壁に当る際に信号を生成する装置１０が骨格部５及び／又は背もたれ４に配置されていることが有利であることが判明した。側壁９は、例えば、正面壁、側壁等の浴槽８の各内壁により構成されている。
【００１８】
背もたれ４及び／又は骨格部５が浴槽８の側壁９に近付くと、装置１０が予告、識別して、信号を生成し、背もたれ４及び／又は骨格部５を揺動させる駆動装置６のスイッチが直ちに遮断される。
【００１９】
このようにして、骨格部５及び／又は背もたれ４が、角度αで揺動される際に、側壁９に当らないことを保証している。
【００２０】
装置１０は例えば、機械的な開閉器として形成してもよい。しかし、角度αの揺動又は傾斜の際に、骨格部５と背もたれ４の間の選択可能な安全な間隔を認識し且つ最小の間隔に達したら角度αの傾斜又は揺動を停止させるように、装置１０をセンサ素子、超音波素子、レーダ素子、赤外線素子などの非接触の距離センサとして形成してもよい。
【００２１】
図１及び図２に示す浴槽用リフトＲ１及びＲ２において、ストッパー１２は、骨格部５の後壁１１の領域において、機械的な停止スイッチとし作動する装置１０と交差している。骨格部５及び／又は背もたれ４が動いて傾斜した位置では、座部２は骨格部５を備えた状態ではなくなり、骨格部５又は背もたれ４の揺動を停止させるように、ストッパー１２は浴槽８の側壁９に当ることにより装置１０を作動させ、駆動装置６のスイッチが遮断される。
【００２２】
その際、ストッパー１２は図１及び２に示すように、連結部の周りを移動可能になっている。ストッパー１２は、例えば枠、板などに形成してもよい。これによって、本発明が制限されることはない。
【００２３】
本発明において重要なことは、背もたれ４が傾斜して浴槽８の縁又は側壁９に到達する直前に、揺動又は傾斜を中断又は停止するように、骨格部５が無くても、場合によってはストッパー１２を有する装置１０を、座部２の背もたれ４に配置できることである。
【００２４】
図３に示す本発明による実施例では、後壁１１の端部に複数の装置１０が備えられており、座部２の骨格部５及び／又は背もたれ４が傾斜して、浴槽８の側壁９に装置が到達する直前に、信号が生成され、駆動装置６又は骨格部５及び／又は背もたれ４の揺動が停止又はスイッチが遮断される。
【００２５】
更に、少なくとも１つの装置１０がリミットスイッチ又は管状に形成されることも本発明の範囲である。管又はリミットスイッチは背もたれ４の外部に連結させるか又は背もたれに組み込んでもよい。背もたれが浴槽８の側壁９に当るか打撃すると菅を押しつぶす。この押しつぶしにより、背もたれが後方へ倒れ込む際にその運動を中断又は停止するように、例えばスイッチで通常行われているように、電気的、空気圧的又は他の方法により信号が生成される。
【図面の簡単な説明】
【００２６】
【図１】浴槽に備えられた浴槽用リフトの縦断面を示す摸式図
【図２】浴槽に備えられた浴槽用リフトの別の実施例の縦断面を示す摸式図
【図３】浴槽に備えられた浴槽用リフトの更に別の実施例の縦断面を示す摸式図
【符号の説明】
【００２７】
１    底板
２    座部
３    座板
４    背もたれ
５    骨格部
６    駆動装置
７    揺動軸
８    浴槽
９    側壁
１０  装置
１１  後壁
１２  ストッパー
Ａ    軸
α    角度
Ｒ１    浴槽用リフト
Ｒ２    浴槽用リフト
Ｒ３    浴槽用リフト
Ｘ    双方向矢印
【図１】
2008521528.tif 000003
【図２】
2008521528.tif 000004
【図３】
2008521528.tif 000005
【国際調査報告】
2008521528.tif 000006
2008521528.tif 000007
2008521528.tif 000008
2008521528.tif 000009